(57)【要約】　【課題】　産業製造ラインでの製造および取り扱いが経済的で、特に最初に開封する際に使用が簡単な、内側シールの形の保護要素を具備する容器を製造する。【解決手段】　口部を画定する端（６）と、該端上に取り外し可能に取り付けられている硬い保護要素（１０）を具備する容器であり、該保護要素は、該保護要素の外側表面の中心に配置された把持手段（１４）を具備し、該把持手段は、Ｙ軸に沿って細長に形成されており、該保護要素は、基本的にＹ軸および／またはＹ軸と垂直な軸に沿って配置された、保護要素を該端から引き離すために保護要素を動かした時に、該保護手段の取り外しを容易にするような開封のための亀裂を生じさせるための適当な手段を具備する容器。【選択図】　　図２
2004083136.tif 000002
【特許請求の範囲】
【請求項１】
　口部（５）を画定する端（６）と、該端上に取り外し可能に取り付けられている硬い保護要素（１０）を具備する容器であり、該保護要素は、保護要素の外側表面の中心に配置された把持手段（１４）を具備し、該把持手段は、Ｙ軸に沿って細長に形成されており、該保護要素は、基本的にＹ軸および／またはＹ軸と垂直な軸に沿って配された、該端（６）から保護要素（１０）を引き離すために保護要素（１０）を動かした時に、その取り外しを容易にするような開封のための亀裂を生じさせるための適当な手段（１８−２１）を具備する容器。
【請求項２】
　該保護要素（１０）は、カップの形状をしており、その持ち上げられた周縁端（１１）は、該容器の端（６）上に支持されていることを特徴とする、請求項１に記載の容器（１）。
【請求項３】
　開封するための剥離手段（１８，１９）は、把持手段（１４）の両側に、Ｙ軸に沿って、該保護要素の周縁端の近傍に配されていることを特徴とする、請求項１または２に記載の容器（１）。
【請求項４】
　開封するための剥離手段（２０，２１）は、該把持手段の両側に、Ｙ軸と垂直な軸に沿って、保護要素（１０）の周縁端の近傍に配されていることを特徴とする、請求項１ないし３のいずれか１項に記載の容器（１）。
【請求項５】
　上記保護要素は、該端上に支持されるようになっている少なくとも１つの環状リブ（１５，１６，１７）をその内側表面の周縁近傍に具備し、上記開封のための剥離手段は、１または複数の該環状リブの少なくとも１つの遮断された領域（１８，１９，２０，２１）からなることを特徴とする、請求項１ないし４のいずれか１項に記載の容器（１）。
【請求項６】
　上記保護要素は、複数の環状同心リブ（１５，１６，１７）を具備することを特徴とする、請求項４に記載の容器（１）。
【請求項７】
　上記保護要素（１０）は、熱可塑性材料、特にポリプロピレンまたはポリエチレンを成形してなることを特徴とする、請求項１ないし６のいずれか１項に記載の容器（１）。
【請求項８】
　瓶、特にガラス瓶の形状であることを特徴とする、請求項１ないし７のいずれか１項に記載の容器（１）。
【請求項９】
　特にねじ込み式蓋（３０）の形状の、上記口部を密封するための閉鎖手段を具備することを特徴とする、請求項１ないし８のいずれか１項に記載の容器（１）。
【請求項１０】
　上記閉鎖手段（３０）は、容器に取り付けられた状態では、上記保護要素（１０）を軸方向に固定することを特徴とする、請求項９に記載の容器（１）。
【請求項１１】
　化粧品特にスキンケアクリームを収容するための請求項１ないし１０のいずれか１項に記載の容器（１）の使用方法。
【発明の詳細な説明】
【技術分野】
【０００１】
　本発明は、製品、特に化粧品を収容するための容器に関する。本発明の容器は、特に、化粧品、特にスキンケアクレームを収容するためのガラス瓶の形をしている。
【背景技術】
【０００２】
　消費者へ販売される化粧クリームの瓶には、通常、「内側シール」で知られる保護要素が備わっている。この内側シールは、通常かなり可撓性があって、当該瓶の口を画定している端の周縁にわたり支持されて、ねじ込み式蓋によって定位置に保持されている。
【０００３】
　内側シールは、クリームから蓋を保護し、蓋が汚れるのを防止する。
【０００４】
　概して、内側シールは可撓性のあるタブを具備しており、該タブは、内側シールの取り外しを容易化し、より特定すると、内側シールがクリームと接触することによって不可避的に発生する吸着効果を解消することに役立つ。
【発明の開示】
【発明が解決しようとする課題】
【０００５】
　特に速度が速いとき（例えば産業製造ラインなどにおいて）、この種の撓みのある内側シールの扱いには問題が生じる。
【０００６】
　また、本発明の目的の一つは、内側シールの形状の保護要素を具備し、従来技術の既知のシステムを参照しながら上記で説明した問題が完全にまたは部分的に解決された、特に瓶形状の容器を製造することである。
【０００７】
　本発明は特に、特に産業製造ラインでの製造および取り扱いが経済的で、特に最初に開封する際に使用が簡単な容器を製造することを目的とする。
【０００８】
　さらなる目的は、以下の詳細な説明で明らかにする。
【課題を解決するための手段】
【０００９】
　本発明によると、これらの目的は、口部を画定する端と、該端上に取り外し可能に支持されている硬い保護要素を具備する容器であり、該保護要素は、該保護要素の外側表面の中心に配置された把持手段を具備し、該把持手段は、Ｙ軸に沿って細長に形成されており、該保護要素は、基本的にＹ軸および／またはＹ軸と垂直な軸に沿って配置された、保護要素を該端から引き離すために保護要素を動かした時に、該保護要素の取り外しを容易にするような開封のための亀裂を生じさせるための適当な手段を具備する容器を製造することにより得られる。
【００１０】
　「硬い」は、好適には「容易に押しつぶれない」、つまり、これを折り畳もうとした場合に「不可逆的に、破壊、変形、または破損する」を意味する。したがって、もし蓋がプラスチックからなる場合、それを折り畳みまたは変形しようとして圧力をかけると、劣化が起こり、特に、材料が白化する。
【００１１】
　好適には、該保護要素は、カップの形状をしており、持ち上げられた周縁端は該容器の端上に支持されている。
【００１２】
　好適には、開封のための剥離手段が、把持手段の両側にＹ軸に沿って保護要素の周縁端の近隣に配置される。
【００１３】
　よって、Ｙ軸に沿って保護要素を取り外すために保護要素を動かすとすると、容器の端と最初に接触を失う保護要素の領域は、使用者の腕と対向する把持手段の側の、Ｙ軸に沿った保護要素の周縁となる。開封するための剥離手段の一つはこの場所に位置している。その結果、保護要素を動かすと直ぐに、容器内部に空気が引き込まれ、容器内部と外部の圧力が等価になり、上記の吸着効果が回避される。
【００１４】
　また、好適には、開封するための剥離手段は、保護要素の周縁端近傍に、Ｙ軸と垂直な軸に沿って、把持手段の両側に配置される。
【００１５】
　したがって、Ｙ軸に垂直な方向に沿って保護要素を取り外すために保護要素を動かすとすると、容器の端と最初に接触を失う保護要素の領域は、使用者の腕と対向する把持手段の側の、Ｙ軸に対して９０度をなす保護要素の周縁となる。開封するための剥離手段の一つはこの場所に位置している。その結果、保護要素を動かすと直ぐに、容器内部に空気が引き込まれ、容器内部と外部の圧力が等価になり、上記の吸着効果が回避される。
【００１６】
　特定の実施態様によると、保護要素は、その内側表面の周縁近傍に、上記の端上に支持されるような少なくとも１つの環状リブを具備し、開封するための上記の剥離手段は、一または複数の該環状リブにより遮断される少なくとも１つの領域からなる。
【００１７】
　好適には、保護要素は複数の環状同心リブを備える。
【００１８】
　保護要素は、熱可塑性材料、特にポリプロピレン又はポリエチレンを成形することによってなるのが好ましい。
【００１９】
　容器は、瓶、特にガラス瓶の形状に形成できる。
【００２０】
　特にねじ込み式の蓋の形状の、上記口部を密封するための閉鎖手段を設けることができる。
【００２１】
　有利には、閉鎖手段は、容器に取り付けられた状態では、上記の保護要素を軸方向に固定する。
【００２２】
　本発明の容器は、有利には、化粧品、特にスキンケアクリームを収容するために使用することができる。
【００２３】
　上記の構成とは別に、本発明は、添付の図面を参照して説明する非限定的な実施例に基づき、以下で明らかにする複数のその他の構成からなる。
【実施例１】
【００２４】
　図１と図２に表された容器１は、Ｘ軸と円形断面を有するガラス瓶２を備える。
【００２５】
　瓶２の一端は、基部３で閉じられている。基部３の反対側には、瓶の首部４があり、その外側表面はねじ山となっている。
【００２６】
　口部５は首部４の自由端よりなる。自由端の内側環状領域６は、基本的に平坦であり、その高さは、該自由端の外側環状領域７の高さよりも若干低い。高さの違いは、以下で詳細に記述する内側シールの厚さと基本的に対応している。
【００２７】
　内側環状領域６は、内側シール１０の周縁端１１を受けるようになっている。
【００２８】
　内側シール１０は、高密度のポリプロピレンまたはポリエチレンからなる硬いカップの形態に構成される。内側シールの中央領域１２は、基本的に平坦で、周縁端１１とは傾斜した領域１３により繋がっている。
【００２９】
　内側シールの中央領域１２は、瓶内側にある外側表面の中心部分に、Ｙ軸に沿った細長い円盤の一部分の形をしているタブ１４を具備している。
【００３０】
　タブ１４は、最高点が基本的に内側シールの周縁端１１の周縁高さに位置するような高さを有する。
【００３１】
　図３に図示されたように、周縁端１１は、相互に９０度間隔で配置された４つの領域１８，１９，２０，２１において遮断された３つの環状同心リブ１５，１６，１７を、内側シールのタブ１４と反対の側に具備している。２つの領域１８，１９は、基本的にＹ軸に沿っている。他の２つの領域２０，２１は、Ｙ軸に対して垂直な軸に沿っている。
【００３２】
　各領域１８−２１の角度幅は、１から数度のオーダーである。
【００３３】
　容器１は、さらに、首部４のネジ山に螺合することができるネジ溝を内側表面に具備するねじ込み式蓋３０を備えている。蓋の最上部は、蓋にスナップ嵌合された、凸壁３１からなる。
【００３４】
　タブ１４の頂部と蓋３０の内側表面を接触させることにより、瓶の端の内側シール１０を固定化できるので、所望したとおり密封ができる。あるいは、蓋３０の内側表面は、蓋３０が閉じられている時に、内側シール１０の周縁１１上に支持されて、内側シール１０を固定化し、密封することができるような環状リブ（図示せず）を具備してもよい。
【００３５】
　使用時、特に最初に使用する時に、消費者は蓋３０を開け、タブ１４を把持して内側シール１０を取り除く。
【００３６】
　一般的に、消費者は、Ｙ軸に沿って上向きに内側シールを取ろうとする動きを内側シールに対して及ぼす。この場合、容器の端の内側領域６と最初に接触を失う内側シール１０の領域は、遮断された領域１８または１９である。この地点には遮断された領域が存在するため、内側シール１０を動かし始めると直ぐに、空気が瓶２の内部に引き込まれ、容器１と外部の圧力が等価になり、吸着効果の発生が回避される。
【００３７】
　反対に、消費者がＹ軸と垂直に上向きに内側シールを取ろうとする動きを内側シールに対して及ぼした場合には、容器の端の内側領域６と最初に接触を失う内側シール１０の領域は、遮断された領域２０または２１である。この地点には遮断された領域が存在するため、内側シール１０を動かし始めると直ぐに、空気が瓶２の内部に引き込まれ、容器１と外部の圧力が等価になり、吸着効果の発生が回避される。
【００３８】
　初回の使用後、蓋３０を元に戻す前、消費者は、内部シール１０を再度取り付けるかどうかを選択できる。
【００３９】
　上述の詳細な説明ではいくつかの本発明の好適な実施形態を説明した。特許請求の範囲に記載された発明の技術思想から逸脱することなく、これらを修正することができることは明らかである。
【図面の簡単な説明】
【００４０】
【図１】本発明の好適な実施態様の容器の分解図である。
【図２】図１の容器の断面図である。
【図３】図１および図２に図示された容器に使用される保護要素の下方部分の図である。
【符号の説明】
【００４１】
１　　　　　　　　　　　　容器
２　　　　　　　　　　　　ガラス瓶
３　　　　　　　　　　　　基部
４　　　　　　　　　　　　首部
５　　　　　　　　　　　　口部
６　　　　　　　　　　　　内部環状領域
７　　　　　　　　　　　　外部環状領域
１０　　　　　　　　　　　内側シール
１１　　　　　　　　　　　周縁端
１２　　　　　　　　　　　中心部
１３　　　　　　　　　　　傾斜領域
１４　　　　　　　　　　　タブ
１５，１６，１７　　　　　環状同心リブ
１８，１９，２０，２１　　遮断領域
３０　　　　　　　　　　　ねじ込み式蓋
３１　　　　　　　　　　　凸部
【図１】
2004083136.tif 000003
【図２】
2004083136.tif 000004
【図３】
2004083136.tif 000005